(57)【特許請求の範囲】
【請求項１】
溝が開口して形成された見付け片部を有した枠材と、前記溝を塞ぐ溝塞ぎ材とを備え、
前記溝は、前記見付け片部から前記枠材の見込み方向に延びた見込み片部と、前記見込み片部から垂下した垂下片部と、前記垂下片部から前記見付け片部に向かって下方に傾斜して延びた傾斜片部とによって形成され、
前記溝塞ぎ材は、溝塞ぎ本体と、前記溝塞ぎ本体を保持する保持体とを備え、
前記溝塞ぎ本体は、溝塞ぎ片部と、前記溝塞ぎ片部から建具の見込み方向に延びているとともに係合凹部が形成された係合片部と、前記係合片部の前記垂下片部側に設けられた当接片部とを有して構成され、
前記溝塞ぎ片部の高さ寸法は、前記溝の開口の高さ寸法と同じとされ、
前記溝塞ぎ片部から前記当接片部までの見込み幅寸法は、前記溝の開口から前記垂下片部までの見込み幅寸法と同じとされ、
前記保持体は、前記係合凹部に対して高さ位置調整可能に係合する係合部材と、前記係合部材を前記見込み片部に固定する固定具とを備えて構成され、
前記溝塞ぎ本体が前記保持体に保持された状態において、前記係合部材は、前記係合凹部に係合して前記溝塞ぎ本体の見込み方向の移動を規制し、前記溝塞ぎ片部は、前記見付け片部に沿って位置し、前記当接片部は、前記垂下片部に当接する
ことを特徴とする建具。
【請求項２】
請求項１に記載の建具において、
前記固定具は、固定ビスによって構成され、
前記係合凹部には、前記当接片部側に位置する前記固定ビスの面に当接する当接面が形成される
ことを特徴とする建具。
【請求項３】
請求項２に記載の建具において、
前記当接面は、前記当接片部側から前記溝塞ぎ片部側に向かって下方に傾斜して形成される
ことを特徴とする建具。
【発明の詳細な説明】
【技術分野】
【０００１】
本発明は、屋内外を仕切るビル用サッシや屋内空間の間仕切りとして使用される建具であって、枠材に排水溝が形成された建具に関する。
【背景技術】
【０００２】
建具として、例えば、左右の縦枠部材間に分割方立を配置し、この分割方立と縦枠部材との間に上枠部材、無目、下枠部材を架け渡して構成された枠体の内部に四枚の固定ガラス板を備え、下枠部材には排水溝の開口が屋外側に露呈して設けられ、この排水溝から下枠部材内に浸入した水などを排水する建具が知られている（特許文献１参照）。
特許文献１に記載の建具は、スーパーマーケットやホームセンター等の店舗において屋内外を仕切るショップフロントやストアフロントなどのビル用サッシとして用いられる。
【先行技術文献】
【特許文献】
【０００３】
【特許文献１】特許第５０６９７２１号公報
【発明の概要】
【発明が解決しようとする課題】
【０００４】
ところで、特許文献１に記載の建具は、前述したように屋内外を仕切るビル用サッシとして使用されるのが一般的であるが、例えば、屋内空間の間仕切りとして使用したいとのニーズもある。この建具を間仕切りとして使用する場合には、例えば、排水溝が設けられた下枠部材の見付け面をフラットな形状としたものが意匠的観点から望まれることがある。
また、建具をショップフロントやストアフロントなどのビル用サッシとして使用する場合であっても、下枠部材の見付け面をフラットな形状とすることが望まれることもあり得る。
【０００５】
しかし、特許文献１に記載の建具では、排水溝の開口が下枠部材の見付け面に露呈して設けられているため、この建具をそのまま間仕切りなどとして使用しても、排水溝の開口が露呈する下枠部材の見付け面は、フラットな形状とはならない。
そこで、本発明者は、例えば図６に示すように、排水溝に溝塞ぎ材を設けることによって、排水溝を目隠しし、下枠部材の見付け面をフラットな形状にすることを検討した。
【０００６】
図６は、溝塞ぎ材２０１が排水溝２０２に設けられた下枠部材２０３を示す縦断面図である。排水溝２０２は、下枠部材２０３の見付け片部２０４に開口しており、見付け片部２０４から下枠部材２０３の見込み方向に延びた見込み片部２０５と、見込み片部２０５から垂下した垂下片部２０６と、垂下片部２０６から見付け片部２０４に向かって斜め下方に傾斜して延びた傾斜片部２０７とによって形成されている。排水溝２０２の開口上側に位置する見付け片部２０４の部分は、見込み片部２０５よりも下方に突出した突出部２０９として形成されている。
【０００７】
溝塞ぎ材２０１は、見付け方向に延びた溝塞ぎ片部２２１と、溝塞ぎ片部２２１から見込み方向に延びた取付片部２２２と、取付片部２２２の先端に設けられた当接片部２２３とを有して構成されており、溝塞ぎ片部２２１と取付片部２２２との連続部分には、突出部２０９に当接する段部が形成されている。
図６において、前記溝塞ぎ材２０１の段部の高さ寸法は、突出部２０９の下部先端から見込み片部２０５の下面までの突出部２０９の高さ寸法Ｈ１と同じである。当接片部２２３の高さ寸法は、垂下片部２０６の高さ寸法Ｈ２と同じである。また、溝塞ぎ片部２２１の高さ寸法は、排水溝２０２の開口の高さ寸法Ｈ３と同じであり、溝塞ぎ材２０１の見込み幅寸法は、見付け片部２０４の表面から垂下片部２０６の見付け片部２０４側の面までの見込み幅寸法Ｗと同じである。
上記各寸法に設定されているため、溝塞ぎ材２０１をその当接片部２２３側から排水溝２０２の開口に挿入でき、当接片部２２３を垂下片部２０６に当接し、取付片部２２２を見込み片部２０５に沿って配置し、溝塞ぎ片部２２１を見付け片部２０４に沿った状態で排水溝２０２の開口に配置し、ビス２２４によって取付片部２２２を見込み片部２０５に取り付けることで、溝塞ぎ材２０１によって排水溝２０２の開口をフラットに塞ぐことができる。
【０００８】
しかし、下枠部材２０３の各高さ寸法Ｈ１，Ｈ２が変化した場合には、溝塞ぎ材２０１を取付不良なく取り付けることが困難である。例えば図７に示すように、高さ寸法Ｈ１，Ｈ２が図６に示す高さ寸法Ｈ１，Ｈ２よりも大きい場合には、取付片部２２２の取り付け作業において、取付片部２２２をビス２２４により見込み片部２０５側に引きよせると、溝塞ぎ材２０１の当接片部２２３側は上昇するが、溝塞ぎ材２０１の溝塞ぎ片部２２１側は突出部２０９に当接して上昇が規制されてしまう。これにより、溝塞ぎ材２０１が斜めに傾くいわゆる転びが発生し、見付け方向に延びた溝塞ぎ片部２２１が斜めになるため排水溝２０２の開口をフラットに塞ぐことが困難である。
また、このような溝塞ぎ材２０１の取付不良は、下枠部材２０３への取り付けに限らず、排水溝２０２などの各種の溝が設けられた縦枠部材や幅木、無目などの各枠材に対しても同様に生じるおそれがある。
【０００９】
本発明の目的は、枠材に設けられた様々な寸法の溝をフラットに塞ぐことのできる建具を提供することにある。
【課題を解決するための手段】
【００１０】
本発明の建具は、溝が開口して形成された見付け片部を有した枠材と、前記溝を塞ぐ溝塞ぎ材とを備え、前記溝は、前記見付け片部から前記枠材の見込み方向に延びた見込み片部と、前記見込み片部から垂下した垂下片部と、前記垂下片部から前記見付け片部に向かって下方に傾斜して延びた傾斜片部とによって形成され、前記溝塞ぎ材は、溝塞ぎ本体と、前記溝塞ぎ本体を保持する保持体とを備え、前記溝塞ぎ本体は、溝塞ぎ片部と、前記溝塞ぎ片部から建具の見込み方向に延びているとともに係合凹部が形成された係合片部と、前記係合片部の前記垂下片部側に設けられた当接片部とを有して構成され、前記溝塞ぎ片部の高さ寸法は、前記溝の開口の高さ寸法と同じとされ、前記溝塞ぎ片部から前記当接片部までの見込み幅寸法は、前記溝の開口から前記垂下片部までの見込み幅寸法と同じとされ、前記保持体は、前記係合凹部に対して高さ位置調整可能に係合する係合部材と、前記係合部材を前記見込み片部に固定する固定具とを備えて構成され、前記溝塞ぎ本体が前記保持体に保持された状態において、前記係合部材は、前記係合凹部に係合して前記溝塞ぎ本体の見込み方向の移動を規制し、前記溝塞ぎ片部は、前記見付け片部に沿って位置し、前記当接片部は、前記垂下片部に当接することを特徴とする。
【００１１】
本発明によれば、係合部材が係合凹部に対して高さ位置調整可能に係合するので、溝塞ぎ本体の高さ位置は枠材に対して変位可能であり、図７に示す溝塞ぎ材２０１のように、ビス２２４によって取付片部２２２を見込み片部２０５に引き寄せることで転びなどの取付不良が発生することがなくなる。このため、溝の開口上側に位置する見付け片部の部分の寸法であって見込み片部から下方へ突出した突出高さ寸法や垂下片部の高さ寸法が互いに異なる様々な枠材に対して、共通の溝塞ぎ材を取付不良なく取り付けることができる。また、様々な枠材に対応して専用の溝塞ぎ材を設計、製造する必要をなくしてコストダウンを図れる。
さらに、溝塞ぎ片部の高さ寸法は、溝の開口の高さ寸法と同じとされ、溝塞ぎ片部から当接片部までの見込み幅寸法は、溝の開口から垂下片部までの見込み幅寸法と同じとされるため、溝塞ぎ本体が保持体に保持されるとともに、当接片部が垂下片部に当接した状態では、溝塞ぎ片部は枠材の見付け片部に沿って配置される。これにより、溝塞ぎ材によって溝の開口をフラットに塞ぐことができる。
【００１３】
本発明の建具では、前記固定具は、固定ビスによって構成され、前記係合凹部には、前記当接片部側に位置する前記固定ビスの面に当接する当接面が形成されることが好ましい。
このような構成によれば、係合凹部の当接面が、係合部材を固定する固定ビスの当接片部側の面に当接することで、溝塞ぎ本体の見込み方向のガタツキを抑制できる。
【００１４】
本発明の建具では、前記当接面は、前記当接片部側から前記溝塞ぎ片部側に向かって下方に傾斜して形成されることが好ましい。
このような構成によれば、係合凹部の当接面が、当接片部側から溝塞ぎ片部側に向かって下方に傾斜して形成されるため、固定ビスの当接片部側の面が当接面に当接した状態で、固定ビスが係合部材にねじ込まれていくにつれ、当接面は当接片部側に向かって徐々に押し付けられる。これにより、当接片部を垂下片部に徐々に強く押し当てることができて溝塞ぎ本体をより精確に配置できる。
【発明の効果】
【００１５】
本発明によれば、枠材に設けられた様々な寸法の溝をフラットに塞ぐことのできる建具を提供できる。
【図面の簡単な説明】
【００１６】
【図１】本発明の実施形態に係る建具を示す縦断面図。
【図２】前記実施形態に係る建具の要部を示す分解斜視図。
【図３】前記実施形態に係る建具の要部を示す縦断面図。
【図４】前記実施形態に係る建具の溝塞ぎ材を主に示す説明図。
【図５】前記実施形態に係る建具の溝塞ぎ材の設置状態を示す説明図。
【図６】従来の実施形態に係る建具の要部を示す縦断面図。
【図７】従来の実施形態に係る建具の要部を示す縦断面図。
【発明を実施するための形態】
【００１７】
［本実施形態の構成］
以下、本発明の実施形態を図面に基づいて説明する。
図１において、本実施形態に係る建具であるサッシ１は、屋内において間仕切りとして使用されるものであり、上枠２、下枠３、左右の縦枠４を枠組みし、左右の縦枠４間に無目５を設けて構成された枠体６と、枠体６内に設けられる二枚の面材７とを備えている。
【００１８】
枠体６を構成する枠材である上枠２、下枠３、左右の縦枠４、無目５は、アルミ製の押出し形材によって形成されている。下枠３には、サッシ１の室外側に露呈する排水溝３０が形成されており、この排水溝３０には、溝塞ぎ材５０が設けられている。
二枚の面材７は、本実施形態では単板ガラスによってそれぞれ形成されているが、これに限られず、複層ガラスによって形成されていてもよく、また、金属製、樹脂製、木製などの各種の壁材（パネル）によって形成されていてもよい。上部の面材７は、上枠２、左右の縦枠４および無目５にバックアップ材、シール材を介して保持されている。下部の面材７は、下枠３、左右の縦枠４および無目５にバックアップ材、シール材を介して保持されている。
【００１９】
下枠３は、下枠本体３Ａと、押縁３Ｂとを備えて構成されている。
下枠本体３Ａは、図２，３に示すように、室外見付け片部１１（見付け片部）と、見込み片部１２，１３と、室内見付け片部１４と、凹溝形成部１５と、傾斜片部１６とを有して構成されている。
押縁３Ｂは、図１，３に示すように、断面コ字形状に形成され、室外見付け片部１１の上端および見込み片部１２に形成された係合爪に係合し、面材７の室外面に当接するバックアップ材、シール材を介して当該面材７の室外面を押さえている。
【００２０】
室外見付け片部１１は見込み片部１２および傾斜片部１６と連続している。見込み片部１２の室内端部は室内見付け片部１４に連続している。
見込み片部１２と傾斜片部１６との間に位置する室外見付け片部１１の部分には、排水溝３０の開口が形成されており、この開口上側に位置する室外見付け片部１１の部分は、見込み片部１２から突出高さ寸法Ｈ１をもって下方に突出した突出部１１１として形成されている。また、下枠３の見込み方向における見込み片部１２の中間位置には、凹溝形成部１５が設けられている。
なお、室外見付け片部１１および室内見付け片部１４の下部は見込み片部１３に連続している。
【００２１】
凹溝形成部１５よりも室外側に位置する見込み片部１２の室外部分には、孔１２２が形成されており、この孔１２２に後述する固定ビス６５が挿通される。また、凹溝形成部１５よりも室内側に位置する見込み片部１２の室内部分は、室内側から室外側に向かって下方に傾斜して形成されている。
なお、見込み片部１２上には、セッティングブロック１７が設置されており、セッティングブロック１７上には、面材７が載置されている。
【００２２】
凹溝形成部１５は、垂下片部１５１，１５２と、底部１５３とを有して構成されている。垂下片部１５１，１５２は、見込み片部１２から垂下して形成されており、下枠３の見込み方向において互いに離間して位置している。底部１５３は垂下片部１５１，１５２の下端に連続している。また、垂下片部１５１から見込み片部１２の室外部分までにわたって、排水用の孔１５４が形成されている。
傾斜片部１６の室内端部は、垂下片部１５１の下端に連続している。傾斜片部１６は、垂下片部１５１から室外見付け片部１１に向かって斜め下方に傾斜して延びている。
【００２３】
室内見付け片部１４の上端には、室外側に延出した支え部１４１が形成されている。支え部１４１の先端には、バックアップ材、シール材が設けられており、これらが面材７の室内面に当接することで面材７の室内面を支える構成とされている。また、支え部１４１の中間位置には、排水口１４２が形成されている。なお、排水口１４２には水の逆流防止用の排水部品１４３（図１参照）が設けられているが、この排水部品１４３の構成は省略されてもよい。
【００２４】
排水溝３０は、凹溝形成部１５よりも室外側に位置する見込み片部１２の室外部分と、垂下片部１５１と、傾斜片部１６とによって形成されており、図２に示すように下枠３の長手方向に沿って延びている。
【００２５】
溝塞ぎ材５０は、図４に示すように、アルミ製の押出し形材によって形成された溝塞ぎ本体５１と、溝塞ぎ本体５１を保持する保持体６１とを備えて構成されている。
溝塞ぎ本体５１は、見付け方向に延びた溝塞ぎ片部５２と、係合片部５３と、当接片部５４とを有し、図２に示すように排水溝３０の長手方向に沿って延びて形成されている。
溝塞ぎ片部５２は、室外見付け片部１１に沿って設けられている。係合片部５３は、溝塞ぎ片部５２に連続しており、下枠３の見込み方向に延びて形成されている。当接片部５４は、係合片部５３の室内端部から垂下して設けられている。
【００２６】
係合片部５３には、後述する裏板６２と係合する係合凹部５５が形成されている。係合凹部５５は、上凹部５６と、下凹部５７とを有して構成されている。
上凹部５６は、見込み片部１２から下方に延びた一対の側面と、当該一対の側面の下部に連続した底面とによって形成されている。上凹部５６の当接片部５４側の側面は、裏板６２に当接する当接面５６１として形成されている。
下凹部５７は、上凹部５６の底面から下方に延びた一対の側面と、当該一対の側面の下部に連続した底面とによって形成されている。下凹部５７の一対の側面は、傾斜面５７１，５７２を有している。当接片部５４側に位置する傾斜面５７１は、当接片部５４側から溝塞ぎ片部５２側に向かって斜め下方に傾斜している。溝塞ぎ片部５２側に位置する傾斜面５７２は、溝塞ぎ片部５２側から当接片部５４側に向かって斜め下方に傾斜している。傾斜面５７１を有した側面は、固定ビス６５の当接片部５４側の面に当接する当接面５７３として形成されている。
【００２７】
図４において、溝塞ぎ片部５２の室外面から当接片部５４の室内面までの見込み幅寸法は（溝塞ぎ本体５１の見込み幅寸法）、排水溝３０の開口から垂下片部１５１の室外面までの見込み幅寸法Ｗ（排水溝３０の見込み幅寸法）と同じである。当接片部５４の高さ寸法は、垂下片部１５１の室外面の高さ寸法Ｈ２よりも小さい。また、溝塞ぎ片部５２の高さ寸法は、排水溝３０の開口の高さ寸法Ｈ３と同じである。
【００２８】
保持体６１は、係合部材である裏板６２と、固定具である固定ビス６５と、補助ビス６６とを備えて構成されている。裏板６２は、図２に示すように、下枠３の長手方向の両端部に配置されており、固定ビス６５は、裏板６２に対応した位置に配置されている。補助ビス６６は、両裏板６２間に配置されている。なお、見込み片部１２の各孔１２２には、固定ビス６５が挿通可能な孔と、補助ビス６６が螺合可能な孔とが含まれている。
【００２９】
裏板６２は、平面視矩形状に形成されており、固定ビス６５に螺合するビス孔６３が形成されている。
固定ビス６５は、見込み片部１２の孔１２２に挿通され、裏板６２のビス孔６３に螺合おり、その先端部は裏板６２から下方に突き出ている。固定ビス６５の径寸法は、下凹部５７の一対の側面同士の離間寸法とおなじかまたは若干小さくされている。このため、固定ビス６５の先端部は、下凹部５７に配置され、当接面５７３に当接している。
補助ビス６６は、固定ビス６５と同様に形成されており、見込み片部１２の孔１２２に螺合している。補助ビス６６の先端部は、下凹部５７に配置されており、補助ビス６６の当接片部５４側の面は、当接面５７３に当接している。
【００３０】
裏板６２の厚さ寸法は、上凹部５６の深さ寸法と同じかまたは若干小さく形成されている。裏板６２の見込み幅寸法は、上凹部５６の一対の側面同士の離間寸法と同じかまたは若干小さくされている。このため、裏板６２は、上凹部５６に対して高さ位置調整可能に係合している。
【００３１】
ビス孔６３の中心軸から裏板６２の周縁６４の第一位置までの長さ寸法であって下枠３の見込み方向に交差する方向における長さ寸法Ｌ１（図２参照）は、ビス孔６３の中心軸から裏板６２の周縁６４の第二位置までの長さ寸法であって下枠３の見込み方向における長さ寸法Ｌ２（図４参照）よりも長い。
このため、裏板６２の周縁６４の第二位置を上凹部５６の当接面５６１に対向して配置した場合には、固定ビス６５をねじ込む際に裏板６２に加わる回転力を利用して、裏板６２の周縁６４の第一位置側で当接面５６１を当接片部５４側に向かって押すことができる。
【００３２】
［溝塞ぎ材の設置］
以下、溝塞ぎ材５０の設置について説明する。
先ず、上凹部５６に各裏板６２を配置した溝塞ぎ本体５１を、当接片部５４側から排水溝３０に挿入する。
当接片部５４が垂下片部１５１に当接するまで溝塞ぎ本体５１を排水溝３０に挿入した後、各固定ビス６５を各孔１２２に挿通し、各裏板６２のビス孔６３に螺合し、各固定ビス６５の当接片部５４側の面を下凹部５７の当接面５７３に当接させ、溝塞ぎ片部５２の室外面を室外見付け片部１１の室外面に沿って面一に配置する。裏板６２は、固定ビス６５によって見込み片部１２に固定されることで、係合凹部５５に対して高さ位置調整可能に係合した状態となり、溝塞ぎ本体５１の見込み方向の移動を規制する。補助ビス６６は対応の孔１２２に適宜螺合し、当接面５７３に当接させる。このようにして、溝塞ぎ材５０を排水溝３０に設置し、溝塞ぎ片部５２によって排水溝３０の開口をフラットに塞ぐ。
【００３３】
ここで、図４に示す下枠３の突出部１１１の高さ寸法Ｈ１は、図５（Ａ）に示す高さ寸法Ｈ１よりも大きく、図５（Ｂ）に示す高さ寸法Ｈ１よりも小さい。図４に示す下枠３の垂下片部１５１の高さ寸法Ｈ２は、図５（Ａ）に示す高さ寸法Ｈ２よりも大きく、図５（Ｂ）に示す高さ寸法Ｈ２よりも小さい。図４、図５（Ａ）、図５（Ｂ）に示す排水溝３０の開口の高さ寸法Ｈ３は互いに同じである。図４、図５（Ａ）、図５（Ｂ）に示す排水溝３０の見込み幅寸法Ｗは互いに同じである。なお、図５（Ａ）においては、垂下片部１５１の高さ寸法Ｈ２は、当接片部５４の高さ寸法と同じである。
【００３４】
図４に示す排水溝３０に溝塞ぎ材５０を設けた場合には、裏板６２は、当接面５６１に当接した状態のまま上凹部５６から部分的に突出している。固定ビス６５の当接片部５４側の面は、下凹部５７の当接面５７３に当接している。固定ビス６５の先端は、下凹部５７の底面から離間している。当接片部５４は、垂下片部１５１の下部側に当接している。係合片部５３は、見込み片部１２から離間している。
【００３５】
図５（Ａ）に示す排水溝３０に溝塞ぎ材５０を設けた場合には、裏板６２は、当接面５６１に当接した状態のまま上凹部５６内に収められている。固定ビス６５の当接片部５４側の面は、下凹部５７の当接面５７３に当接している。固定ビス６５の先端は、下凹部５７の底面に当接している。当接片部５４は、垂下片部１５１の全体に当接している。係合片部５３は、見込み片部１２に当接している。
【００３６】
図５（Ｂ）に示す排水溝３０に溝塞ぎ材５０を設けた場合には、裏板６２は、当接面５６１に当接した状態のまま上凹部５６から部分的に大きく突出している。固定ビス６５の当接片部５４側の面は、下凹部５７の当接面５７３に当接している。固定ビス６５の先端は、下凹部５７の底面から離間している。当接片部５４は、垂下片部１５１の下部側に当接している。係合片部５３は、見込み片部１２から離間している。
【００３７】
［本実施形態の効果］
（１）裏板６２が係合凹部５５に対して高さ位置調整可能に係合するので、溝塞ぎ本体５１の高さ位置は下枠３に対して変位可能である。従って、図７に示す溝塞ぎ材２０１のように、ビス２２４によって取付片部２２２を見込み片部２０５に引き寄せることで転びなどの取付不良が発生することがなくなる。このため、突出部１１１の高さ寸法Ｈ１や垂下片部１５１の高さ寸法Ｈ２が互いに異なる様々な下枠３に対して、共通の溝塞ぎ材５０を取付不良なく取り付けることができる。また、様々な下枠３に対応して専用の溝塞ぎ材を設計、製造する必要をなくしてサッシ１のコストダウンを図れる。
さらに、溝塞ぎ片部５２の高さ寸法は、排水溝３０の開口の高さ寸法Ｈ３と同じとされ、溝塞ぎ片部５２から当接片部５４までの見込み幅寸法は、排水溝３０の開口から垂下片部１５１までの見込み幅寸法Ｗと同じとされるため、溝塞ぎ本体５１が保持体６１に保持されるとともに、当接片部５４が垂下片部１５１に当接した状態では、溝塞ぎ片部５２は下枠３の室外見付け片部１１に沿って配置される。これにより、溝塞ぎ材５０によって排水溝３０の開口をフラットに塞ぐことができる。
（２）裏板６２の長さ寸法Ｌ１は、長さ寸法Ｌ２よりも長いため、裏板６２の周縁６４の第二位置を係合凹部５５の当接片部５４側の面に対向して配置した状態で固定ビス６５を回転してビス孔６３に螺合した際に、固定ビス６５から裏板６２に伝達される回転力を利用して、裏板６２の周縁６４の第一位置を係合凹部５５の当接片部５４側の面に押し付けることができる。これにより、当接片部５４を垂下片部１５１に押し当てることができ、溝塞ぎ材５０を所定位置に配置できる。
また、例えば、固定ビス６５などが挿通、螺合される各孔１２２，６３の見込み位置に多少の製作誤差があったとしても、前述したように当接片部５４を垂下片部１５１に押し当てることで、溝塞ぎ材５０を所定位置に配置できる。
【００３８】
（３）下凹部５７の当接面５７３が、裏板６２を固定する固定ビス６５の当接片部５４側の面に当接することで、溝塞ぎ本体５１の見込み方向のガタツキを抑制できる。
（４）当接面５７３が、当接片部５４側から溝塞ぎ片部５２側に向かって下方に傾斜した傾斜面５７１を有するため、固定ビス６５の当接片部５４側の面が傾斜面５７１に当接した状態で、固定ビス６５がねじ込まれていくにつれ、傾斜面５７１は当接片部５４側に向かって徐々に押し付けられる。これにより、当接片部５４を垂下片部１５１に徐々に強く押し当てることができ、溝塞ぎ本体５１をより精確に配置できる。
【００３９】
［変形例］
なお、本発明は以上の実施形態で説明した構成のものに限定されず、本発明の目的を達成できる範囲での変形例は、本発明に含まれる。
例えば、前記実施形態では、裏板６２は、平面視矩形状に形成されているが、これに限定されず、例えば、平面視において正方形などの各種の方形状に形成されていてもよく、また、楕円形状に形成されていてもよい。さらに、裏板６２は、平面視において真円形状に形成されていてもよく、この場合、ビス孔６３の中心は、偏心した位置にあるのが好ましい。
【００４０】
前記実施形態では、下凹部５７の当接面５７３は傾斜面５７１を有しているが、この傾斜面５７１の構成を省略して構成されていてもよい。また、当接面５７３の全面が傾斜した傾斜面５７１として形成されていてもよい。
【００４１】
前記実施形態では、係合凹部５５は、上凹部５６と下凹部５７とによって形成されているが、これに限定されず、例えば、固定ビス６５が裏板６２の下方に突き出ることのない程度の長さ寸法を有して形成されている場合には、下凹部５７の構成を省略してもよい。
また、係合凹部５５は、下凹部５７の代わりに、固定ビス６５が挿通可能な抜け孔（図示省略）を有していてもよい。
【００４２】
前記実施形態では、サッシ１は、屋内において間仕切りなどとして使用されるものであるとして説明したが、これに限定されず、例えば、ショップフロントやストアフロントなどのビル用サッシとしても使用してもよい。
サッシ１を、屋内外を仕切るビル用サッシとして使用する場合には、溝塞ぎ片部５２に孔、切欠きなどの小さな排水口（図示省略）を形成して、排水溝３０からの排水機能を確保してもよい。
なお、排水溝３０からの排水は次の通り行われる。排水口１４２から入り込んだ水は、見込み片部１２の傾斜した室内部分に案内されて凹溝形成部１５によって形成された凹溝に案内され、この凹溝に入り込んだ水は孔１５４を通り、傾斜片部１６の上面をつたって排水溝３０の開口から室外側へ排水される。
【００４３】
前記実施形態では、枠体６は、上枠２、下枠３、左右の縦枠４および無目５によって構成され、この枠体６によって二枚の面材７を保持しているが、これに限定されない。例えば、上枠２、下枠３、左右の縦枠４、無目５および方立によって枠体が構成され、この枠体によって四枚の面材７を保持していてもよく、また、枠体６から無目５の構成を省略し、一枚の面材７を保持していてもよい。
【００４４】
前記実施形態では、溝塞ぎ材５０は、下枠３に形成された排水溝３０に設けられているが、これに限定されない。例えば、排水溝３０などの各種の溝が幅木、無目、方立、縦枠などの各種の枠材に形成されている場合には、これら枠材に形成された排水溝３０に対して、溝塞ぎ材５０を設けてもよい。
【符号の説明】
【００４５】
１…サッシ、２…上枠、３…下枠、３Ａ…下枠本体、３Ｂ…押縁、４…縦枠、５…無目、６…枠体、７…面材、１１…室外見付け片部、１２，１３，２０５…見込み片部、１４…室内見付け片部、１５…凹溝形成部、１６，２０７…傾斜片部、１７…セッティングブロック、３０，２０２…排水溝、５０，２０１…溝塞ぎ材、５１…溝塞ぎ本体、５２，２２１…溝塞ぎ片部、５３…係合片部、５４，２２３…当接片部、５５…係合凹部、５６…上凹部、５７…下凹部、６１…保持体、６２…裏板、６３…ビス孔、６４…周縁、６５…固定ビス、６６…補助ビス、１１１，２０９…突出部、１２２，１５４…孔、１４１…支え部、１４２…排水口、１４３…排水部品、１５１，１５２，２０６…垂下片部、１５３…底部、２０４…見付け片部、２２２…取付片部、２２４…ビス、５６１，５７３…当接面、５７１，５７２…傾斜面、Ｈ１，Ｈ２…高さ寸法、Ｌ１，Ｌ２…長さ寸法。
【図１】
0006371636.tif 000002
【図２】
0006371636.tif 000003
【図３】
0006371636.tif 000004
【図４】
0006371636.tif 000005
【図５】
0006371636.tif 000006
【図６】
0006371636.tif 000007
【図７】
0006371636.tif 000008